(57)【要約】【課題】本体の設置に必要なスペースを抑え、且つカセットの交換にかかる作業性の向上を図った紙葉類処理装置を提供する。【解決手段】紙幣入出金装置１は、カセット２１〜２５が載置されているトレー２６が、本体前面側、および本体後面側のいずれにも引き出すことができるとともに、各カセット２１〜２５の用途の設定変更が行える。このため、設置場所の空間的な制限から、カセット２１〜２５の交換時にトレー２６を本体前面側に引き出して使用する場合であっても、反対にカセット２１〜２５の交換時にトレー２６を本体後面側に引き出して使用する場合であっても、交換頻度の高いカセット２１〜２５をトレー２６の引き出し側に設定することができる。【選択図】図１
2008059472.tif 000002
【特許請求の範囲】
【請求項１】
紙葉類を収納する複数のカセットと、
本体に対して引き出し自在に設けられ、複数の前記カセットが一列に並べて載置されるトレーと、
複数の前記カセットを経由し、本体内部で紙葉類を循環搬送する搬送路と、
前記カセット毎に、設定されている用途を記憶する用途記憶部と、
前記用途記憶部が記憶している各カセットの用途に基づいて、前記搬送路における紙葉類の搬送経路を決定し、前記搬送路における紙葉類の搬送を制御する搬送制御部と、
カセット毎に、用途の設定変更を受け付ける設定変更受付部と、を備え、
前記トレーは、載置されている複数の前記カセットの並びに沿った方向に引き出し自在に設けられている紙葉類処理装置。
【請求項２】
紙葉類の種類を識別する識別部を備え、
前記搬送制御部は、前記搬送路に沿って搬送している紙幣毎に、前記識別部における当該紙幣の識別結果に基づいて搬送先を決定する、請求項１に記載の紙葉類処理装置。
【請求項３】
前記設定変更受付部は、前記識別部で種類を識別することができなかった紙葉類を収納する回収用途、および本体内の紙葉類の収集に用いる運用用途を設定するカセットの指定を受け付ける、請求項２に記載の紙葉類処理装置。
【請求項４】
前記設定変更受付部は、各カセットの用途を定めた複数の設定パターンの中から、いずれかの設定パターンの選択を受け付ける、請求項１〜３のいずれかに記載の紙葉類処理装置。
【請求項５】
前記トレーは、載置されている複数の前記カセットの並びに沿った、両方向に引き出し自在に設けられている、請求項１〜４のいずれかに記載の紙葉類処理装置。
【発明の詳細な説明】
【技術分野】
【０００１】
この発明は、紙葉類を収納する複数のカセットを本体に対して引き出し自在に設けたトレーに一列に並べて載置した紙葉類処理装置に関し、特に紙葉類として紙幣を取り扱う紙葉類処理装置に関する。
【背景技術】
【０００２】
従来、銀行等の金融機関では、紙幣にかかる入金処理や出金処理を行う紙幣入出金装置が利用されている。紙幣入出金装置は、紙幣を収納する複数のカセットを備え、これらのカセットを本体に対して引き出し自在に設けたトレーに一列に並べて載置している。トレーの引き出し方向は、カセットの並びに沿った方向である。カセットには、金種別カセット、回収カセット、運用カセットがある。金種別カセットは、設定されている金種の紙幣を収納するカセットであり、一般的な紙幣入出金装置には、千円券用、５千円券用、万円券用の３つを備えている。回収カセットは、金種別カセットから繰り出した紙幣の中で、金種が鑑別できない等の理由により、出金することが適当でないと判断した紙幣（以下、回収紙幣と言う。）を収納するカセットである。運用カセットは、本体の金種別カセットに収納されている紙幣の一括収集や、本体の金種別カセットに対する紙幣の補充等に用いるカセットである。一般的な紙幣入出金装置は、回収カセット、および運用カセットを、それぞれ１つずつ備えている。トレーに載置されている各カセットの並びは、一方の端から回収カセット、金種別カセット、運用カセットの順番である。紙幣入出金装置は、トレーを回収カセット側に引き出す構成のものもあれば、運用カセット側に引き出す構成のものもある。カセットの交換にかかる作業は、トレーを引き出し、交換するカセットを本体から取り外し、交換するカセットを本体に取り付け、トレーを本体に戻す作業である。
【０００３】
また、金種別カセット毎に、収納する紙幣の金種の設定変更が行える紙幣入出金装置もある（特許文献１、２参照）。この紙幣入出金装置では、例えば、休日等の特定日には、３つの金種別カセットを全て万円券を収納するカセットに設定でき、通常日には、３つの金種別カセットを１つずつ千円券、５千円券、万円券を収納するカセットに設定できる。  なお、特許文献１、２の紙幣入出金装置は、金種別カセットについては共通化した構成であるが、回収カセットおよび運用カセットについては共通化していない構成である。また、各カセットをトレーに一列に並べて載置する構成でもない。
【特許文献１】特開平５−２８２５２０号公報
【特許文献２】特開平５−２８２５２１号公報
【発明の開示】
【発明が解決しようとする課題】
【０００４】
しかしながら、金種別カセットは、殆ど交換することがないカセットである。金種別カセットの交換は、当該カセットが破損した場合等に行われるだけで、本体内の紙幣の一括回収や、本体に対する紙幣の補充に際して交換する必要はない。これに対して、回収カセットは、回収紙幣で一杯になった場合や、回収紙幣で一杯になっていないときでも収納されている紙幣を回収する場合等に、交換される。また、運用カセットは、運転時に本体内の紙幣を一括回収する場合や、本体に対して紙幣を補充する場合等に、交換される。このように、紙幣入出金装置においては、金種別カセットに比べて、回収カセットや運用カセットの交換頻度が高い。従来の紙幣入出金装置は、上述したように、回収カセット、または運用カセットの一方がトレーの引き出し側と反対側に位置させた構成であるので、回収カセット、または運用カセットの一方については、交換するときに、トレーを最大限に引き出さなければならなかった。このため、カセットの交換作業において、トレーを最大限に引き出す頻度が高く、効率的に行えていないという問題があった。
【０００５】
また、トレーを最大限に引き出せる空間を確保して紙幣入出金装置を設置するには、大きな設置空間を必要とし、空間に無駄が生じる。この空間の無駄を抑えるために、トレーを最大限に引き出せる空間を確保せずに紙幣入出金装置を設置すると、交換頻度が比較的高い、回収カセット、または運用カセットの一方の交換時に、トレーが最大限に引き出せるように、本体を移動しなければならず、カセットの交換にかかる作業が極めて面倒になる。
【０００６】
この発明の目的は、カセットの交換にかかる作業性の向上を図った紙葉類処理装置を提供することにある。
【課題を解決するための手段】
【０００７】
この発明の紙葉類処理装置は、上記課題を解決するために以下の構成を備えている。
【０００８】
紙葉類を収納する複数のカセットと、
本体に対して引き出し自在に設けられ、複数の前記カセットが一列に並べて載置されるトレーと、
複数の前記カセットを経由し、本体内部で紙葉類を循環搬送する搬送路と、
前記カセット毎に、設定されている用途を記憶する用途記憶部と、
前記用途記憶部が記憶している各カセットの用途に基づいて、前記搬送路における紙葉類の搬送経路を決定し、前記搬送路における紙葉類の搬送を制御する搬送制御部と、
カセット毎に、用途の設定変更を受け付ける設定変更受付部と、を備え、
前記トレーは、載置されている複数の前記カセットの並びに沿った方向に引き出し自在に設けられている。
【０００９】
この構成では、複数のカセットが一列に並べて載置されているトレーが、カセットの並びに沿った方向に引き出せる。また、設定変更受付部が、カセットの用途の設定変更を受け付け、用途記憶部がカセット毎に設定されている用途を記憶する。そして、搬送制御部が、用途記憶部が記憶している各カセットの用途に基づいて、搬送路における紙葉類の搬送経路を決定し、この搬送路における紙葉類の搬送を制御する。ここで言う用途とは、例えば適当でないと判断した紙葉類を回収する回収用途、本体内の紙葉類の一括回収や本体に対する紙葉類の補充を行う運用用途、紙葉類を種別毎に収納する種別用途等である。
【００１０】
このため、トレーの引き出し側から順番に、交換頻度が高い用途をカセットに設定することで、殆どのカセット交換にかかる作業がトレーを最大限に引き出すことなく行え、カセットの交換にかかる作業性を向上することができる。また、トレーの引き出し方向を、カセットの並びに沿った両方向にすることで、本体の設置場所の変更にともなってトレーの引き出し方向を変更して利用するときにも、変更したトレーの引き出し側から順番に、交換頻度が高い用途をカセットに設定することができる。さらに、トレーを最大限に引き出さないと行えないカセットの交換については、殆ど生じないことから、トレーを最大限に引き出せる空間を確保せずに本体を設置しても、本体を移動しなければカセットの交換が行えないような事態が殆ど生じない。したがって、トレーを最大限に引き出せる空間を確保せずに本体を設置しても、カセット交換にかかる作業効率を低下させることもなく、また空間の無駄が抑えられる。
【００１１】
また、設定変更受付部は、各カセットの用途を定めた複数のパターンの中から、いずれかのパターンの選択を受け付ける構成とすれば、各カセットの用途の設定変更にかかる操作が簡単に行える。
【発明の効果】
【００１２】
この発明によれば、カセットの交換にかかる作業性の向上を図ることができるとともに、本体の設置に用いる空間を低減することができる。また、設置場所の変更にも柔軟に対応でき、利便性の向上が図れる。
【発明を実施するための最良の形態】
【００１３】
以下、この発明の実施形態である紙幣入出金装置について説明する。
【００１４】
図１は、この発明の実施形態である紙幣入出金装置の主要部の構成を示すブロック図である。また、図２は、この紙幣入出金装置の外観を示す概略図であり、図３はこの紙幣入出金装置の内部構成を示す概略図である。この実施形態の紙幣入出金装置１は、制御部２を備え、この制御部２が本体の動作を統括的に制御する。紙幣入出金装置１は、入出金される紙幣の真偽や金種を鑑別する鑑別部３と、搬送路１０における紙幣の搬送を制御する搬送制御部４と、本体に対する入力操作を受け付ける操作部５と、を備えている。鑑別部３における紙幣の鑑別は、当該紙幣の磁気パターン、反射光パターン、透過光パターン等を検出し、検出したパターンに基づいて行われる。紙幣の鑑別にかかる詳細な処理については、セキュリティ上の観点から説明を省略する。
【００１５】
本体前面には、利用者が入金紙幣を投入する入金紙幣投入部１１と、利用者に返却する返却紙幣を収納する返却紙幣収納部１２と、利用者に対して出金する出金紙幣を収納する出金紙幣収納部１３と、が設けられている。入金紙幣収納部１１、返却紙幣収納部１２、および出金紙幣収納部１３には、それぞれシャッタが設けられている。制御部２が、各シャッタの開閉を制御する。また、紙幣入出金装置１は、本体後側に、入出金紙幣等を一時的に保留する一時保留部１４を備えている。
【００１６】
また、紙幣入出金装置１は、本体下部に、紙幣を収納する５つのカセット２１〜２５を備えている。これら５つのカセット２１〜２５は、本体前面から後面に向かう方向に、一列に並んでいる。各カセット２１〜２５は、同じ構成である。カセット２１〜２５は、本体に対して引き出し自在に設けたトレー２６に載置している。このトレー２６は、本体前面側に引き出すこともできれば、本体後面側に引き出すこともできる。トレー２６には、引き出し量を制限するストッパが設けられている。すなわち、トレー２６を前面側に引き出したときに、ストッパが作用する位置が、トレー２６を前面側に最大限に引き出した位置である。また、トレー２６を後面側に引き出したときに、ストッパが作用する位置が、トレー２６を後面側に最大限に引き出した位置である。
【００１７】
紙幣入出金装置１は、紙幣を本体内部で循環搬送する循環搬送路１０（以下、単に搬送路１０と言う。）を備えている。この搬送路１０は、鑑別部３、入金紙幣投入部１１、返金紙幣収納部１２、出金紙幣収納部１３、一時保留部１４、およびカセット２１〜２５における任意の区間で、紙幣の搬送が行えるように構成されている。搬送路１０は、図３に示すように、鑑別部３、入金紙幣投入部１１、返金紙幣収納部１２、出金紙幣収納部１３、および一時保留部１４を繋ぐループ状の上側搬送路と、この上側搬送路から分岐し、カセット２１〜２５を繋ぎ、再度上側搬送路に合流する下側搬送路で構成されている。搬送路１０には、必要に応じて搬送経路を切り換えるフラッパが設けられている。入金紙幣投入部１１、返金紙幣収納部１２、出金紙幣収納部１３、一時保留部１４、およびカセット２１〜２５には、搬送路１０に沿って搬送されてきた紙幣を収納する収納機構や、収納している紙幣を１枚ずつ搬送路１０に繰り出す繰出機構が設けられている。さらに、搬送路１０には、連結部が設けられており、トレー２６を本体から引き出したときに、連結部における搬送路１０の連結が解除され、トレー２６を本体に収納したときに、連結部において搬送路１０が連結される。図４（Ａ）がトレー２６を前面側に引き出したときの状態を示しており、図４（Ｂ）がトレー２６を後面側に引き出したときの状態を示している。図４は、トレー２６を最大限に引き出していない状態である。
【００１８】
紙幣入出金装置１は、カセット２１〜２５の用途の設定変更が行える。ここで言う用途は、設定されている金種の紙幣の収納に用いる金種別用途、出金することが適当でないと判断した紙幣（回収紙幣）の収納に用いる回収用途、および本体に対する紙幣の補充や、本体内の紙幣の一括回収等に用いる運用用途である。本体前面には、複数の操作キー５ｂや、表示器５ａが配置されている。操作部５は、この表示器５ａに操作案内画面等を表示するとともに、操作された操作キー５ｂに応じた入力を受け付ける。操作部５は、表示器５ａの画面上に配置したタッチパネル等で、本体に対する入力を受け付ける構成としてもよい。操作部５が、カセット２１〜２５の用途の設定変更を受け付ける。この操作部５が、この発明で言う設定変更受付部に相当する。また、制御部２は、各カセット２１〜２５に、設定されている用途を記憶するメモリ２ａを備えている。このメモリ２ａが、この発明で言う用途記憶部に相当する。
【００１９】
この実施形態では、制御部２が、各カセット２１〜２５に対する用途の設定パターンをメモリ２ａに複数記憶している。例えば、カセット２１を運用カセット、カセット２２を回収カセット、カセット２３を万円券用の金種別カセット、カセット２４を５千円券用の金種別カセット、カセット２５を千円券用の金種別カセットとする設定パターンＡや、
カセット２１を回収カセット、カセット２２を運用カセット、カセット２３を万円券用の金種別カセット、カセット２４を５千円券用の金種別カセット、カセット２５を千円券用の金種別カセットとする設定パターンＢや、
カセット２１を万円券用の金種別カセット、カセット２２を５千円券用の金種別カセット、カセット２３を千円券用の金種別カセット、カセット２４を回収カセット、カセット２５を運用カセット、とする設定パターンＣや、
カセット２１を万円券用の金種別カセット、カセット２２を５千円券用の金種別カセット、カセット２３を千円券用の金種別カセット、カセット２４を運用カセット、カセット２５を回収カセット、とする設定パターンＤ、
等を記憶している。制御部２は、操作部５においてメモリ２ａに記憶している設定パターンの中で選択されたパターンに応じて、各カセット２１〜２５の用途を設定する。カセット２１〜２５の交換時におけるトレー２６の引き出し量が少ないほうが、交換作業における作業効率がよい。すなわち、交換頻度の高いカセット２１〜２５を、トレー２６を引き出す側に位置させることで、カセット２１〜２５の交換作業における作業効率を向上できる。このことから、上述した設定パターンＡ、Ｂは、トレー２６を後面側に引き出して使用する環境に適しており、反対に、設定パターンＣ、Ｄは、トレー２６を前面側に引き出して使用する環境に適している。
【００２０】
次に、この紙幣入出金装置１の動作について説明する。まず、各カセット２１〜２５の用途を設定する用途設定処理について説明する。図５は、用途設定処理を示すフローチャートである。紙幣入出金装置１は、操作部５において、用途設定の変更にかかる入力操作を受け付け（ｓ１）、メモリ２ａに記憶している各カセット２１〜２５に対する用途の設定パターンを、本体前面に設けられている表示器に表示する（ｓ２）。そして、紙幣入出金装置１は、操作部５において、いずれかの用途の設定パターンの選択を受け付け（ｓ３）、ここで選択された設定パターンに基づいて、各カセット２１〜２５の用途を設定する（ｓ４）。紙幣入出金装置１は、ｓ４で設定した各カセット２１〜２５の用途を、メモリ２ａに記憶する。
【００２１】
このように、この実施形態の紙幣入出金装置１は、各カセット２１〜２５の用途の設定が、予め定められている設定パターンの中から、いずれかの設定パターンを選択するという、簡単な操作で行える。また、各カセット２１〜２５の用途を、カセット２１〜２５の交換作業時におけるトレー２６の引き出し方向に応じて設定できる。
【００２２】
なお、カセット２１〜２５の交換作業時におけるトレー２６の引き出し方向は、設置場所の環境等を考慮して決めているだけであり、トレー２６が前面側、または後面側のどちらか一方にしか引き出せないということではない。
【００２３】
次に、この紙幣入出金装置１の入金処理にかかる動作について説明する。ここでは、上述した用途設定処理において、カセット２１を回収カセット、カセット２２を運用カセット、カセット２３を万円券用の金種別カセット、カセット２４を５千円券用の金種別カセット、カセット２５を千円券用の金種別カセットとする設定（上述の設定パターンＢ）がなされているものとして説明する。また、カセット２１〜２５の交換作業時におけるトレー２６の引き出し方向は、後面側に決めているものとする。搬送制御部４は、各カセット２１〜２５に設定されている用途に基づいて、この入金処理や、後述する出金処理、補充処理、一括回収処理における、紙幣の搬送経路を決定している。
【００２４】
紙幣入出金装置１は、入金紙幣投入部１１のシャッタを開し、入金紙幣の投入を受け付ける。紙幣入出金装置１は、入金紙幣投入部１１に対する紙幣の投入が完了すると、入金紙幣投入部１１のシャッタを閉し、この入金紙幣投入部１１に投入された紙幣を１枚ずつ繰り出す。入金紙幣投入部１１から繰り出された紙幣は、搬送部４により搬送路１０に沿って鑑別部３に搬送される。鑑別部３は、搬送されてきた紙幣毎に、真偽や金種を鑑別する。紙幣入出金装置１は、鑑別部３で金種が鑑別できた紙幣を一時保留部１４に搬送し収納する。一方、鑑別部３で金種が鑑別できなかった紙幣（真券であると鑑別しなかった紙幣）を返却紙幣収納部１２に搬送し収納する。搬送路１０における、このときの紙幣の流れを図６に示す。図中に示す、ＯＫは鑑別部３において紙幣の種別が鑑別できた紙幣を意味し、ＮＧは鑑別部３において紙幣の種別が鑑別できなかった紙幣を意味している。
【００２５】
紙幣入出金装置１は、入金紙幣投入部１１に投入された全ての紙幣を繰り出し、一時保留部１４、または返却紙幣収納部１２に収納すると、返却紙幣収納部１２のシャッタを開し、鑑別部３で金種が鑑別できなかった紙幣を、当該紙幣を投入した者に返却する。紙幣入出金装置１は、返却紙幣収納部１２に収納されている紙幣が抜き取られると、返却紙幣収納部１２のシャッタを閉する。但し、返却紙幣収納部１２に紙幣が収納されていなければ、すなわち入金紙幣投入部１１に投入された紙幣が全て一時保留部１４に収納されていれば、返却紙幣収納部１２のシャッタを開することはない。紙幣入出金装置１は、一時保留部１４に収納した紙幣の合計金額を算出し、記憶している。
【００２６】
紙幣入出金装置１は、入金金額の確認が行われる前に、操作部５において、この入金処理を中止する旨の入力を受け付けると、その時点で一時保留部１４に収納している紙幣を１枚ずつ繰り出し、返却紙幣収納部１２へ搬送し収納する。また、この入金処理を中止する旨の入力を受け付けた時点で入金紙幣投入部１１に残っている紙幣についても、返却紙幣収納部１２へ搬送し収納する。その後、紙幣入出金装置１は、返却紙幣収納部１２のシャッタを開し、当該紙幣を投入した者に返却する。紙幣入出金装置１は、返却紙幣収納部１２に収納されている紙幣が抜き取られると、返却紙幣収納部１２のシャッタを閉する。
【００２７】
紙幣入出金装置１は、入金金額の確認が行われると、一時保留部１４に収納している紙幣を１枚ずつ繰り出し、鑑別部３に搬送し、金種を鑑別する。そして、ここで金種が鑑別された紙幣を、設定されている用途が該当する金種であるカセット２３〜２５へ搬送し、収納する。金種が鑑別できなかった紙幣については、設定されている用途が回収であるカセット２１に搬送し収納する。搬送路１０における、このときの紙幣の流れを図７に示す。紙幣入出金装置１は、一時保留部１４に収納した全ての紙幣を、回収カセット２１、または金種別カセット２３〜２５に収納すると、この入金処理を完了する。
【００２８】
次に、出金処理について説明する。紙幣入出金装置１は、操作部５において出金金額の入力を受け付けると、金種毎に出金する紙幣の枚数を確定する。紙幣入出金装置１は、金種毎に、ここで確定した枚数の紙幣を、設定されている用途が該当する金種であるカセット２３〜２５から繰り出し、鑑別部３に搬送して金種を鑑別する。ここで、鑑別された金種が、その紙幣を繰り出したカセット２３〜２５に設定されている金種であれば、当該紙幣を出金紙幣収納部１３へ搬送し、収納する。一方、金種が鑑別できなかった紙幣等は、設定されている用途が回収であるカセット２２へ搬送し、収納する。また、カセット２２に紙幣を収納したときには、該当する金種の紙幣を収納しているカセット２３〜２５から追加的に紙幣を繰り出す。搬送路１０における、このときの紙幣の流れを図８に示す。紙幣入出金装置１は、金種毎に、出金紙幣収納部１３に収納した紙幣の枚数が、先に確定した枚数に達すると、出金紙幣収納部１３のシャッタを開し、出金紙幣収納部１３に収納されている紙幣の抜き取りを許容する。紙幣入出金装置１は、出金紙幣収納部１３に収納されている紙幣が抜き取られると、出金紙幣収納部１３のシャッタを閉し、本処理を終了する。
【００２９】
次に、設定されている用途が金種であるカセット２３〜２５に紙幣を補充する補充処理について説明する。設定されている用途が金種であるカセット２３〜２５に補充する紙幣は、設定されている用途が運用であるカセット２２に収納されている。カセット２２に収納されている紙幣は、単一の金種であってもよいし、複数の金種が混在していてもよい。この補充処理を行うにあたり、本体のカセット２２を、補充する紙幣を収納したカセット２２に交換することもある。ここでは、トレー２６の引き出し方向を、後面側に決めている場合であるので、カセット２２の交換作業におけるトレー２６の引き出し量が抑えられる。
【００３０】
紙幣入出金装置１は、カセット２２に収納されている紙幣を１枚ずつ繰り出し、鑑別部３に搬送し、金種を鑑別する。ここで、金種が鑑別された紙幣は、一時保留部１４に搬送し収納する。また、金種が鑑別できなかった紙幣は、設定されている用途が回収であるカセット２２へ搬送し、収納する。搬送路１０における、このときの紙幣の流れを図９に示す。紙幣入出金装置１は、一時保留部１４に収納した紙幣について、金種毎に枚数を算出している。紙幣入出金装置１は、一時保留部１４が一杯になるか、またはカセット２２に収納されている紙幣が無くなるまで、カセット２２からの紙幣の繰り出しを行う。
【００３１】
紙幣入出金装置１は、一時保留部１４が一杯になった場合、またはカセット２２に収納されている紙幣が無くなった場合に、カセット２２からの紙幣の繰り出しを停止する。そして、紙幣入出金装置１は、一時保留部１４に収納している紙幣を１枚ずつ繰り出し、鑑別部３に搬送し、金種を鑑別する。そして、ここで金種が鑑別された紙幣を、設定されている用途が該当する金種であるカセット２３〜２５へ搬送し、収納する。金種が鑑別できなかった紙幣については、設定されている用途が回収であるカセット２１に搬送し収納する。搬送路１０における、このときの紙幣の流れは、図７と同じである。紙幣入出金装置１は、一時保留部１４に収納した全ての紙幣を、回収カセット２１、または金種別カセット２３〜２５に収納すると、カセット２２に収納されている紙幣が残っていれば、再度このカセット２２に収納されている紙幣を１枚ずつ繰り出し、上述した処理を繰り返す。
【００３２】
これにより、カセット２２に収納されていた紙幣を、設定されている用途が金種であるカセット２３〜２５に補充することができる。
【００３３】
なお、上記補充処理において一時保留部１４を利用している理由は、カセット２２から繰り出され、鑑別部３で金種が鑑別された紙幣を、直接該当する金種が設定されているカセット２３〜２５に搬送すると、カセット２１〜２５を繋ぐ下側搬送路において、鑑別部３において、金種の鑑別が行われた紙幣と、金種の鑑別が行われていない紙幣と、が混在し、処理が適正に行えなくなるからである。
【００３４】
また、この補充処理を行うときに、設定されている用途が金種であり、最も前面側に配置されているカセット２５が空であれば、この空であるカセット２５を、仮の運用カセットとして利用し、一時保留部１４を利用しない補充処理が行える。カセット２５は、下側搬送路の最下流に位置するカセットである。この補充処理では、カセット２２に収納されている紙幣を、まず、カセット２５に搬送し、収納する。搬送路１０における、このときの紙幣の流れを図１０に示す。紙幣入出金装置１は、カセット２２の紙幣を、カセット２５に移し替えると、カセット２５を上述したように仮の運用カセットにするとともに、カセット２２をカセット２５に対して設定されている金種の仮のカセットにする。
【００３５】
紙幣入出金装置１は、カセット２５に収納されている紙幣を１枚ずつ繰り出し、鑑別３に搬送し、金種を鑑別する。そして、金種が鑑別された紙幣を、該当する金種が設定されているカセット２２〜２４に搬送し収納する。このとき、カセット２５に対して設定されている金種の紙幣については、カセット２２に搬送し収納する。また、鑑別部３で金種が鑑別できなかった紙幣については、カセット２１に搬送し収納する。搬送路１０における、このときの紙幣の流れを図１１に示す。紙幣入出金装置１は、カセット２５に収納されている紙幣がなくなると、カセット２２に収納している紙幣を、１枚ずつ繰り出し、カセット２５に搬送し収納する。搬送路１０における、このときの紙幣の流れを図１２に示す。紙幣入出金装置１は、カセット２２に収納している紙幣が無くなると、この補充処理を終了する。
【００３６】
このように、カセット２５が空であるときには、一時保留部１４を利用しないで、補充処理が行えるので、この補充処理にかかる時間の短縮が図れる。
【００３７】
次に、本体内の紙幣の一括回収にかかる一括回収処理について説明する。このとき、設定されている用途が運用であるカセット２２は空にしておくのが好ましい。紙幣入出金装置は、設定されている用途が金種であるカセット２３〜２５毎に、収納されている紙幣を１枚ずつ繰り出し、鑑別部３に搬送し、金種を鑑別する。紙幣入出金装置１は、金種が鑑別できた紙幣をカセット２２に搬送し収納するととｔもに、金種が鑑別できなかった紙幣をカセット２１に搬送し収納する。搬送路１０における、このときの紙幣の流れを図１３に示す。紙幣入出金装置１は、この処理において、カセット２２に収納した紙幣について、金種毎に、その枚数を算出している。紙幣入出金装置１は、カセット２３〜２５内の紙幣が無くなると、本処理を終了する。これにより、本体内の紙幣をカセット２２に一括回収することができるとともに、金種毎の紙幣の枚数も得られる。
【００３８】
なお、紙幣入出金装置１は、上述した各処理の途中において、カセット２１や、カセット２２が一杯になると、その処理を一時的に停止し、一杯になったカセット２１、２２の交換を待つ。紙幣入出金装置１は、一杯になったカセット２１、２２が交換されると、この処理を再開する。
【００３９】
また、紙幣入出金装置１は、上述した一括回収処理、および補充処理を、この順番に行うことで、カセット２３〜２５に収納されている紙幣から、出金するのに適当でない紙幣を取り除くこともできる。
【００４０】
次に、上述した用途設定処理において、カセット２４を回収カセット、カセット２５を運用カセット、カセット２１を万円券用の金種別カセット、カセット２２を５千円券用の金種別カセット、カセット２３を千円券用の金種別カセットとする設定（上述の設定パターンＣ）がなされている場合について説明する。また、カセット２１〜２５の交換作業時におけるトレー２６の引き出し方向は、前面側に決めているものとする。
【００４１】
この場合も、紙幣入出金装置１における入金処理については、上述した入金処理と同じであるので、ここでは説明を省略し、出金処理から説明する。紙幣入出金装置１は、操作部５において出金金額の入力を受け付けると、金種毎に出金する紙幣の枚数を確定する。紙幣入出金装置１は、金種毎に、ここで確定した枚数の紙幣を、設定されている用途が該当する金種であるカセット２１〜２３から繰り出し、鑑別部３に搬送して金種を鑑別する。ここで、鑑別された金種が、その紙幣を繰り出したカセット２１〜２３に設定されている金種であれば、当該紙幣を出金紙幣収納部１３へ搬送し、収納する。一方、金種が鑑別できなかった紙幣等は、一時保留部１４に搬送し収納する。また、一時保留部１４に紙幣を収納したときには、該当する金種の紙幣を収納しているカセット２１〜２３から追加的に紙幣を繰り出す。搬送路１０における、このときの紙幣の流れを図１４に示す。紙幣入出金装置１は、金種毎に、出金紙幣収納部１３に収納した紙幣の枚数が、先に確定した枚数に達すると、出金紙幣収納部１３のシャッタを開し、出金紙幣収納部１３に収納されている紙幣の抜き取りを許容する。紙幣入出金装置１は、出金紙幣収納部１３に収納されている紙幣が抜き取られると、出金紙幣収納部１３のシャッタを閉する。また、紙幣入出金装置１は、一時保留部１４に収納している紙幣を１枚ずつ繰り出し、設定されている用途が回収であるカセット２４へ搬送し、収納する。紙幣入出金装置１は、一時保留部１４に収納している紙幣が無くなり、且つ出金紙幣収納部１３のシャッタを閉すると、本処理を終了する。
【００４２】
また、上述した出金処理では、鑑別部３において金種が鑑別できなかった紙幣を一時保留部１４に搬送し、収納するとしたが、鑑別部３において金種が鑑別できなかった紙幣が発生したタイミングで、カセット２１〜２３からの紙幣の繰り出しを一時停止し、この金種が鑑別できなかった紙幣を設定されている用途が回収であるカセット２４へ搬送し、収納するようにしてもよい。搬送路１０における、このときの紙幣の流れを図１５に示す。この場合、金種が鑑別できなかった紙幣を、カセット２４に収納した後に、カセット２１〜２３からの紙幣の繰り出しを再開する。これにより、鑑別部３において、金種が鑑別できなかった紙幣と、金種の鑑別自体を行っていない紙幣と、が混在して搬送されることがなく、処理が適正に行えなくなるという事態が生じることもない。
【００４３】
次に、設定されている用途が金種であるカセット２１〜２３に紙幣を補充する補充処理について説明する。設定されている用途が金種であるカセット２１〜２３に補充する紙幣は、上述した場合と同様に、設定されている用途が運用であるカセット２５に収納されている。カセット２５に収納されている紙幣は、単一の金種であってもよいし、複数の金種が混在していてもよい。この補充処理を行うにあたり、本体のカセット２５を、補充する紙幣を収納したカセット２５に交換することもある。ここでは、トレー２６の引き出し方向を、前面側に決めている場合であるので、カセット２５の交換作業におけるトレー２６の引き出し量が抑えられる。
【００４４】
紙幣入出金装置１は、カセット２５に収納されている紙幣を１枚ずつ繰り出し、鑑別部３に搬送し、金種を鑑別する。ここで、金種が鑑別された紙幣を、該当する金種が設定されているカセット２１〜２３に搬送し収納する。また、鑑別部３で金種が鑑別できなかった紙幣については、カセット２４に搬送し収納する。搬送路１０における、このときの紙幣の流れを図１６に示す。紙幣入出金装置１は、カセット２５に収納している紙幣が無くなると、この補充処理を終了する。
【００４５】
これにより、カセット２５に収納されていた紙幣を、設定されている用途が金種であるカセット２１〜２３に補充することができる。
【００４６】
次に、本体内の紙幣の一括回収にかかる一括回収処理について説明する。このとき、設定されている用途が運用であるカセット２５は、上述した実施形態と同様に、空にしておくのが好ましい。紙幣入出金装置は、設定されている用途が金種であるカセット２１〜２３毎に、収納されている紙幣を１枚ずつ繰り出し、設定されている用途が運用であるカセット２５に搬送し収納する。搬送路１０における、このときの紙幣の流れを図１７に示す。紙幣入出金装置１は、カセット２５へのカセット２１〜２３に収納されている紙幣の移し替えが完了すると、カセット２５に収納されている紙幣を１枚ずつ繰り出し、鑑別部３に搬送し、金種を鑑別する。紙幣入出金装置１は、鑑別部３で金種が鑑別された紙幣を、該当する金種が設定されているカセット２１〜２３に搬送し収納する。また、鑑別部３で金種が鑑別できなかった紙幣については、カセット２４に搬送し収納する。このとき、紙幣入出金装置１は、金種毎に紙幣の枚数を算出している。搬送路１０における、このときの紙幣の流れは、図１６と同じである。紙幣入出金装置１は、カセット２５に収納している紙幣が無くなると、カセット２１〜２３毎に、収納されている紙幣を１枚ずつ繰り出し、設定されている用途が運用であるカセット２５に搬送し収納する。搬送路１０における、このときの紙幣の流れは、図１７と同じである。紙幣入出金装置１は、カセット２５へのカセット２１〜２３に収納されている紙幣の移し替えが完了すると、本処理を終了する。これにより、本体内の紙幣をカセット２５に一括回収することができるとともに、金種毎の紙幣の枚数も得られる。
【００４７】
なお、紙幣入出金装置１は、上述した各処理の途中において、カセット２４や、カセット２５が一杯になると、その処理を一時的に停止し、一杯になったカセット２４、２５の交換を待つ。紙幣入出金装置１は、一杯になったカセット２４、２５が交換されると、この処理を再開する。
【００４８】
このように、この実施形態の紙幣入出金装置１は、カセット２１〜２５が載置されているトレー２６が、本体前面側、および本体後面側のいずれにも引き出すことができるとともに、各カセット２１〜２５の用途の設定変更が行える。このため、設置場所の空間的な制限から、カセット２１〜２５の交換時にトレー２６を本体前面側に引き出して使用する場合であっても、反対にカセット２１〜２５の交換時にトレー２６を本体後面側に引き出して使用する場合であっても、交換頻度の高いカセット２１〜２５をトレー２６の引き出し側に設定することができる。これにより、カセット２１〜２５の交換にかかる作業性の向上が図れる。また、設置場所の変更にともなって、カセット２１〜２５の交換時にトレー２６を引き出す方向を変えるときにも、柔軟に対応できる。
【００４９】
また、いずれかのカセットが破損した時等に、他のカセットを、破損したカセットの代用として使用することもできる。これにより、いずれかのカセットが破損しても、本体を停止させることなく、運転させることができる。
【００５０】
また、上記実施形態では、設定されている用途が回収であるカセット、および運用であるカセットが１つである場合を例にして説明したが、これらのカセットが複数であってもよい。例えば、上述した５千円券用のカセットをなくし、これを回収用途のカセットとしてもよい。この場合、設定されている用途が回収である２つのカセットに収納する紙幣を、その紙幣が繰り出されたカセットで分ける構成としてもよいし、曜日等で使用するカセットを切り換える構成としてもよい。また、設定されている用途が運用であるカセットを複数にしてもよい。また、カセットの総数も５つに限定されることはなく、６つ以上であってもよいし、４つ以下であってもよい。
【００５１】
また、上記実施形態では、各カセット２１〜２５に対する用途を、メモリ２ａに記憶されている設定パターンから選択するとしたが、カセット２１〜２５毎に、用途が任意に設定できるように構成してもよい。また、センタに設置されているホスト装置等からの指示にしたがって、各カセット２１〜２５の用途を設定する構成としてもよい。この場合には、ホスト装置等との間における通信部を設ければよい。
【００５２】
さらに、本願発明は、紙幣を取り扱う装置だけでなく、小切手、証券等の他の紙葉類を取り扱う装置にも適用できる。
【図面の簡単な説明】
【００５３】
【図１】この発明の実施形態である紙幣入出金装置の主要部の構成を示すブロック図である。
【図２】この発明の実施形態である紙幣入出金装置の外観を示す概略図である。
【図３】この発明の実施形態である紙幣入出金装置の内部構成を示す概略図である。
【図４】この発明の実施形態である紙幣入出金装置におけるトレーの引き出し状態を示す概略図である。
【図５】この発明の実施形態である紙幣入出金装置における。用途設置処理を示すフローチャートである。
【図６】この発明の実施形態である紙幣入出金装置における紙幣の搬送経路を示す図である。
【図７】この発明の実施形態である紙幣入出金装置における紙幣の搬送経路を示す図である。
【図８】この発明の実施形態である紙幣入出金装置における紙幣の搬送経路を示す図である。
【図９】この発明の実施形態である紙幣入出金装置における紙幣の搬送経路を示す図である。
【図１０】この発明の実施形態である紙幣入出金装置における紙幣の搬送経路を示す図である。
【図１１】この発明の実施形態である紙幣入出金装置における紙幣の搬送経路を示す図である。
【図１２】この発明の実施形態である紙幣入出金装置における紙幣の搬送経路を示す図である。
【図１３】この発明の実施形態である紙幣入出金装置における紙幣の搬送経路を示す図である。
【図１４】この発明の実施形態である紙幣入出金装置における紙幣の搬送経路を示す図である。
【図１５】この発明の実施形態である紙幣入出金装置における紙幣の搬送経路を示す図である。
【図１６】この発明の実施形態である紙幣入出金装置における紙幣の搬送経路を示す図である。
【図１７】この発明の実施形態である紙幣入出金装置における紙幣の搬送経路を示す図である。
【符号の説明】
【００５４】
１−紙幣入出金装置
２−制御部
２ａ−メモリ
３−鑑別部
４−搬送部
５−操作部
１０−搬送路
２１〜２５−カセット
２６−トレー
【図１】
2008059472.tif 000003
【図２】
2008059472.tif 000004
【図３】
2008059472.tif 000005
【図４】
2008059472.tif 000006
【図５】
2008059472.tif 000007
【図６】
2008059472.tif 000008
【図７】
2008059472.tif 000009
【図８】
2008059472.tif 000010
【図９】
2008059472.tif 000011
【図１０】
2008059472.tif 000012
【図１１】
2008059472.tif 000013
【図１２】
2008059472.tif 000014
【図１３】
2008059472.tif 000015
【図１４】
2008059472.tif 000016
【図１５】
2008059472.tif 000017
【図１６】
2008059472.tif 000018
【図１７】
2008059472.tif 000019